(57)【特許請求の範囲】
【請求項１】
基板上面に取り付けられる第１ハウジングと、コンタクトを介して前記第１ハウジングに遊動可能に取り付けられ、前記基板上面に直交する高さ方向に沿って相手方のコネクタと嵌合する第２ハウジングとを具備し、前記第２ハウジングには、２枚の金属製のシールド板が前記第２ハウジングの側面に沿って取り付けられている可動型コネクタにおいて、
前記シールド板の各々は、前記高さ方向の略中間から下端に向けて所定間隔で延びる複数のスロットにより形成されたほぼ平板状の複数の弾性アームを有し、
前記第１ハウジングは、上端にテーパを有する内側面を有し、
前記コンタクトのうち所定のコンタクトは、前記第１ハウジングの前記内側面に受容された前記シールド板の前記弾性アームと接触することを特徴とする可動型コネクタ。
【発明の詳細な説明】
【０００１】
【発明の属する技術分野】
本発明は電気コネクタに関し、特に基板に取り付けられたコネクタ同士の嵌合時の位置ずれを吸収する可動型コネクタに関する。
【０００２】
【従来の技術】
基板に取り付けられたコネクタ同士の嵌合時に、互いの位置ずれを吸収する為にコネクタの一部を可動にした構成が知られている。この一例として、図９に特開平７−２３０８５８に開示されたコネクタを示す。このコネクタは、外側ハウジング１０２の凹部１０４内に、内側ハウジング１０６を有する。この内側ハウジング１０６は、接地プレート１０７の弾性アーム１０８によって凹部１０４内を移動可能に支持されている。接地プレート１０７は帯状の前部と、この前部に一体に取り付けられた弾性アーム１０８とを有する。複数のコンタクト１１０と接地プレート１０７は夫々独立して基板（図示せず）に接続されている。
【０００３】
【発明が解決すべき課題】
前述の公知例においては、接地プレート１０７は、ハウジング１０２の外周を覆う構造とはなっておらずコンタクト１１０とは独立して基板に取り付けられており、コンタクト間のクロストーク（漏話）を防止することができなかった。
【０００４】
本発明は以上の点に鑑みてなされたものであり、遊動式のコネクタでありながら所定のコンタクトを接地接続してシールド性能及び伝送特性の優れた可動型コネクタを提供することを目的とする。
【０００５】
【課題を解決するための手段】
本発明の可動型コネクタは、基板上面に取り付けられる第１ハウジングと、コンタクトを介して前記第１ハウジングに遊動可能に取り付けられ、前記基板上面に直交する高さ方向に沿って相手方のコネクタと嵌合する第２ハウジングとを具備し、前記第２ハウジングには、２枚の金属製のシールド板が前記第２ハウジングの側面に沿って取り付けられている可動型コネクタにおいて、前記シールド板の各々は、前記高さ方向の略中間から下端に向けて所定間隔で延びる複数のスロットにより形成されたほぼ平板状の複数の弾性アームを有し、前記第１ハウジングは、上端にテーパを有する内側面を有し、前記コンタクトのうち所定のコンタクトは、前記第１ハウジングの前記内側面に受容された前記シールド板の前記弾性アームと接触することを特徴とする。
【０００６】
シールド板に弾性アームを設け、この弾性アームとコンタクトが接触することが望ましい。
【０００７】
シールド板はコンタクトにより挟持されることが望ましい。
【０００８】
シールド板はその両端部で、コネクタの固定金具に電気的に接触することが望ましい。
【０００９】
第１及び第２ハウジングは上下に重ねられ、シールド板は第２ハウジングに固定され、コンタクトは第２ハウジング部分で弾性のないシールド板に接触することが望ましい。
【００１０】
【発明の実施の形態】
以下、添付図を参照して、本発明の可動型コネクタの好適な実施の形態について詳細に説明する。
【００１１】
図１は本発明の可動型コネクタ（以下、単にコネクタという）１の第１の実施形態の平面図である。図２は図１のコネクタ１の正面図であり、図３は図２の矢視Ａから見た側面図である。
【００１２】
まず最初に図１を参照して、略矩形の絶縁性のハウジング（第２ハウジング）２は、相手方のコネクタ（図示せず）を受容する凹部４を有する。ハウジング２は、これを取り巻くように略枠状に構成されたハウジング（第１ハウジング）５０内に配置される。ハウジング２及びハウジング５０はモールド成形時には一体に連結されているが、後工程で別個に切り離される。これらハウジング２及びハウジング５０を総括してコネクタハウジング１０と称する。
【００１３】
コネクタハウジング１０にはその長手方向に沿って複数のコンタクト２０が配列されている。金属板から一体に打抜き形成されたコンタクト２０は、相手方のコンタクト（図示せず）と接触する接触部２２が、ハウジング２の凹部４内に取り付けられ、基板５（図２参照）への取付部２４がハウジング５０へ取り付けられている。ハウジング２の外周には２枚の金属製のシールド板８０がハウジング２の側面６に沿って取り付けられている。各シールド板８０には、その板面から切り起こして形成された舌片８２が、シールド板８０の長手方向に沿って複数個形成されている。各舌片８２は前述の長手方向に沿って折り曲げられているが、隣接する舌片８２は、互いに逆方向を向くように形成されている。
【００１４】
ハウジング２の側面６には舌片８２に対応する位置にこれらの舌片８２を受容する略Ｌ字状の溝８が形成されている。これによりシールド板８０をハウジング２の側面６に沿って上方から圧入することによりハウジング２に取り付けることができる。シールド板８０の両端部８４はハウジング２の端面１２に沿って直角に折り曲げられている。端部８４の先端には内向きのディンプル、或いはビード８４ａが形成されて、ハウジング２の端面１２と接することによりシールド板８０はハウジング２と所定の位置関係になるようにしている。他方、ハウジング２の端面１２の両側に、基板に対し垂直方向に延びるビード１４が形成されている。このビード１４の役割りについては後述する。
【００１５】
ハウジング５０の両端部には、基板への固定金具（以下、単に金具という）１２０が取り付けられている。金具１２０は基板への表面実装部１２２と、この表面実装部１２２から垂直に上方に延びる取付部１２４と、この取付部１２４からシールド板８０の方へ延びる延長部１２６とを有する。ハウジング５０への取付けは金具１２０の両端の翼部１２４ａがハウジング５０の凹溝５６に圧入されることによりなされる。延長部１２６の両端縁からは突片１２８（図４）が垂下しシールド板８０の端部８４と接触する。これによりシールド板８０は金具１２０を介して基板に接地接続される。
【００１６】
次に図２を参照して、ハウジング２の側面６を略覆うシールド板８０には、所定の間隔で穴８６が設けられ、この穴８６に前述の舌片８２が形成されている。シールド板８０の高さ方向の略中間から下方に向けて所定の間隔で複数のスロット８０ａが形成されて弾性アーム８８が構成される。ハウジング５０の底面５４には複数の溝５２が上方に向け形成されている。この溝５２にはコンタクト２０の取付部２４が圧入されて保持される。これにより２つのハウジング２、及び５０はコンタクト２０により連結される。ハウジング２の両端にある底面３は、基板５から僅かに浮き上がり、遊動可能にしている。シールド板８０の端部８４からは、ばね片９０がやや外方に垂下している。
【００１７】
次に図３、及びハウジング５０の端部を部分的に破断した部分断面図４を参照して、シールド板８０の端部８４及びばね片９０について更に説明する。端部８４の下端から内側にテーパを有するばね片９０が垂下しているのがよく理解できよう。ハウジング２のビード１４は端部８４と略接しているが、ばね片９０とは通常接していない。しかしハウジング２が、その長手方向に移動するとばね片９０が撓んでビード１４と接触し、ハウジング２のそれ以上の移動を規制する。
【００１８】
次に図４から、ばね片９０の下部が金具１２０の突片１２８と接触している状態がよく理解できよう。シールド板８０の下部の両端８５は外方に延出すると共に、ハウジング２の端面１２の方へ周り込んでいる。
【００１９】
シールド板８０の上縁近傍には、紙面の向こう側に突出した四角形のディンプル８７が所定の間隔で配置されている。このディンプルは相手方のコネクタのシールド板と電気的に接触して接地接続される。穴８６はこのディンプル８７の下方で左右、即ちシールド板８０の長手方向に延びてディンプルに弾性を付与している。
【００２０】
図５に、図２のＡ−Ａ線に沿う断面図を示す。２列に配置されたコンタクト２０の各接触部２２は、ハウジング２のコンタクト受容穴１６に圧入され保持される。接触部２２はその外側縁２２ａに沿って先端部２２ｂが延出し、相手方のコンタクトとこの先端部２２ｂが接触して電気的接続がなされる。ハウジング５０の溝５２に取付けられる取付部２４は、基板にはんだ付けされるタイン２４ａと、溝５２に圧入される離隔した脚２４ｂ、２４ｃを有する。溝５２は、これらの脚２４ｂ、２４ｃにあわせて外側面５６側の溝５２ａと内側面５８側の溝５２ｂから構成される。
【００２１】
取付部２４と接触部２２は、連結部２６により連結されている。連結部２６は、接触部２２の下端縁２２ｃと取付部２４の内側の端縁２４ｄとを連結するＬ字状の細長い部分から構成される。取付部２４の脚２４ｃの先端に内側面５８から突出する突起２４ｅが設けられ、この突起２４ｅとシールド板８０の下端部に設けた隆起部９２とが接触する。この突起２４ｅはコンタクト２０のうち所定の間隔の特定のコンタクト２０にのみ設けられる。即ち、突起２４ｅのあるコンタクト２０は接地用のコンタクトとして供され，突起２４ｅのないコンタクト２０は、シールド板８０とは接触せず、信号用のコンタクト２０として使用される。ハウジング２は連結部２６と、シールド板８０の弾性アーム８８の可撓性によりハウジング５０の内側で図５において左右に僅かに移動することができる。隣接する連結部２６同士はハウジング２の移動に伴ない、同じように撓むので、連結部２６の間には隔壁がなくとも互いに接触しない。即ち、底面３を有する２つの脚部７の間は１つの空間となっている。
【００２２】
コネクタ１の組立ては、一列として、次のようになされる。即ち、連結されたハウジング２及びハウジング５０に下方からコンタクト２０が圧入される。ハウジング２には上方からシールド板８０が挿入され取り付けられる。この際、ハウジング５０のテーパ５７はシールド板８０のガイドとなり、円滑に受容するようになっている。次にハウジング２と、ハウジング５０が切り離される。この組立方法は限定されたものではなく手順の変更が可能である。ハウジング２とハウジング５０は通常両端で連結されているが、他の適切な部分でもよい。
【００２３】
次に、図６に第２の実施形態のコネクタ１’を示す。前述の実施形態と類似の部品については’を付して説明する。コネクタ１’は、コネクタ１と比較してコンタクト２０’の取付部２４’が異なる。取付部２４’は、脚２４ｃ’の右側且つ弾性アーム８８’の内側に脚２４ｆを設けている。脚２４ｃ’の間に弾性アーム８８’の下端部を挟持するようにして接触し、接触圧を略一定に保っている。連結部２６’は脚２４ｆの下部から接触部２２’へ延出している。このコネクタ１’も第１の実施形態と同様の方法により組立てられる。
【００２４】
次に図７及び図８を参照して、第３の実施形態のコネクタ２００について説明する。コネクタ２００は下部のハウジング（第１ハウジング）２５０及び、コンタクト２２０を介してハウジング２５０の上に配置された上部のハウジング（第２ハウジング）２０２を有する。このハウジング２０２と２５０は別個に成形される。ハウジング２５０は上面２５３を有し、ハウジング２０２が図示しない相手方のコネクタと嵌合する時に受ける力を、この上面２５３で受け止めている。
【００２５】
コンタクト２２０は、前述の第１及び第２の実施形態と同様に接触部２２２の下端縁２２２ｃから連結部２２６を介して取付部２２４へと一体に形成されている。連結部２２６は、互いに逆向きの湾曲部２２６ａ、２２６ｂを経て延びている為、全長が長く可撓性もそれに伴って大きくなっている。取付部２２４には、下向きの脚２２７が設けられている。ハウジング２５０にはこの脚２２７に対応して穴２２９が設けられている。組立ては、コンタクト２２０がハウジング２０２に圧入された後、ハウジング２５０を穴２２９と脚２２７を整列させて上方に押圧して脚２２７を穴２２９に圧入することによりなされる。この際、取付部２２４は移動しないように図示しない治具により固定される。その際、治具を取り付け部２２４の肩２２５に当接させて、挿入時の力を受け止めるようにしてもよい。
【００２６】
コンタクト２２０が接地用である場合には、接触部２２２の下端縁２２２ｃから外側に向けて略Ｕ字状に延出している接地アーム２３１が設けられる。接地アーム２３１の先端部内側には突起２３１ａが設けられ、シールド板２８０の穴２８３を通過して表面２８５に接触している。コンタクト２２０が信号用である場合には、接地アーム２３１は設けられていない。
【００２７】
シールド板２８０は、ハウジング２０２の側面２０６に接触していない略下半分は、ハウジング２５０の側面をも覆っている。この第３の実施形態の場合、シールド板２８０の下端部はコンタクト２２０の取付部２２４と係合していないので、ハウジング２０２は弱い力で変位し、アライメントが容易になされるという効果がある。各コンタクト２２０の連結部２２６の下部はハウジング２５０の溝２５１内にある。その為シールド板２８０がハウジング２０２の移動に伴ない、図において左右に移動しても、シールド板２８０が連結部２２６に接触することがない。即ち、シールド板２８０の下部はハウジング２５０の側壁２５３に当接するので、シールド板２８０のそれ以上の移動は阻止される。
【００２８】
図８に第３の実施形態の正面図を示す。シールド板２８０の穴２８３は縦長の矩形に形成されている。シールド板２８０の取り付けは、第１及び第２実施形態と同様にハウジング２０２の上から下に向けて押圧する。その際、最初にハウジング２０２から突出する接地アーム２３１が穴２８３を通過する様に、シールド板２８３をハウジング２０２の側面２０６に押し当て、その後下方に下げて、第１及び第２実施形態と同様に押圧する。また、第３の実施形態の金具３２０は、板状の金属板をＬ字形に折り曲げ、上部３２２を更に折り曲げて形成される。シールド板２８０のばね片２９０は、その自由端部にディンプル２９２が形成され、このディンプル２９２と金具３２０とが接触するようにしている。
【００２９】
【発明の効果】
本発明の可動型コネクタは、可動の第２ハウジングの外周にシールド板を設け、この第２ハウジングと固定の第１ハウジングとを連結するコンタクトのうち所定のコンタクトをシールド板と接触するよう構成したので次の効果を得る。
【００３０】
即ちシールド板はハウジングの外周を覆い所定のコンタクトを接地させているので、良好なシールド性能及び伝送特性が得られる。
【図面の簡単な説明】
【図１】  本発明の可動型コネクタの第１の実施形態を示す平面図である。
【図２】  図１の可動型コネクタの正面図である。
【図３】  図１のコネクタの側面図である。
【図４】  図１のコネクタを部分的に破断した、図２と同様の部分的な正面図である。
【図５】  図１のＡ−Ａ線に沿う断面図である。
【図６】  本発明の第２の実施形態を示す、図５と同様の断面図である。
【図７】  本発明の第３の実施形態を示す、図５と同様の断面図である。
【図８】  図７のコネクタの正面図である。
【図９】  従来例を示す断面図である。
【符号の説明】
１、１’、２００  可動型コネクタ
２、２’、２０２  第２ハウジング
２０、２０’、２２０  コンタクト
５０、５０’、２５０  第１ハウジング
８０、８０’、２８０  シールド板
【図１】
0003882958.tif 000002
【図２】
0003882958.tif 000003
【図３】
0003882958.tif 000004
【図４】
0003882958.tif 000005
【図５】
0003882958.tif 000006
【図６】
0003882958.tif 000007
【図７】
0003882958.tif 000008
【図８】
0003882958.tif 000009
【図９】
0003882958.tif 000010